(57)【特許請求の範囲】
【請求項１】
記録媒体から得られる信号に基づいて前記記録媒体に記録されたデータを再生するデータ再生装置であって、
基準クロックを出力する複数の基準クロック供給手段と、
前記基準クロック供給手段から出力される基準クロックの供給を受け、前記供給を受けた基準クロックに同期して前記記録媒体から得られた信号を反復復号する複数の反復復号手段と、
前記基準クロック供給手段から出力される基準クロックの供給を受け、前記供給を受けた基準クロックに同期して前記記録媒体から得られた信号からアドレス情報を取得し、当該取得したアドレス情報が目的のアドレスであるか否かを判定し、目的のアドレスでないと判定された場合に、当該目的のアドレスへのシーク動作の開始要求を出力するシーク制御手段と、
前記複数の基準クロック供給手段より選択した基準クロックを、前記複数の反復復号手段より選択した反復復号手段に供給し、前記記録媒体から得られた信号を当該選択した反復復号手段に反復復号させる第１のゲート制御手段と、
前記シーク動作の開始要求の通知に応じて、当該シーク動作の開始前に前記記録媒体から得られた信号の反復復号を実行している前記反復復号手段に供給する基準クロックを、当該シーク動作の開始前の基準クロックの周期を維持させる第２のゲート制御手段と、
シーク動作の終了に応じて、前記第２のゲート制御手段による基準クロックの供給を受けて反復復号処理を実行している反復復号手段とは別の反復復号手段を選択し、前記第２のゲート制御手段により基準クロック信号を供給している基準クロック供給手段とは別の基準クロック供給手段を選択し、当該選択した基準クロック供給手段にシーク先から得られるデータの復号処理に適合する基準クロックを当該選択した反復復号手段へ供給させ、前記シーク先から得られるデータを当該選択した反復復号手段に反復復号させる第３のゲート制御手段と、
を備えたデータ再生装置。
【請求項２】
請求項１に記載のデータ再生装置であって、
前記第１のゲート制御手段は、
前記記録媒体から得られる信号を供給した基準クロック供給手段より出力される基準クロックを選択し、当該選択した基準クロックを前記反復復号手段に供給して反復復号させ、前記第２のゲート制御手段は、
前記シーク動作の開始要求の通知に応じて、前記基準クロックを出力する基準クロック供給手段への前記記録媒体から得られる信号の供給を遮断することにより、当該基準クロック供給手段が出力する基準クロックの周期をシーク動作開始前における周期に維持させ、前記第３のゲート制御手段は、
シーク動作の終了に応じて、当該選択した基準クロック供給手段への当該シーク先における記録媒体から得られる信号の供給を開始することにより、前記シーク先から得られるデータの復号処理に適合する基準クロックを取得する
ことを特徴とするデータ再生装置。
【請求項３】
基準クロックを出力する複数の基準クロック供給手段と、前記基準クロック供給手段から出力される基準クロックの供給を受け、前記供給を受けた基準クロックに同期して前記記録媒体から得られた信号を反復復号する複数の反復復号手段とを備え、記録媒体から得られる信号に基づいて前記記録媒体に記録されたデータを再生するデータ再生装置に用いられるプログラムであって、
前記データ再生装置を、
前記複数の基準クロック供給手段より選択した基準クロックを、前記複数の反復復号手段より選択した反復復号手段に供給し、前記記録媒体から得られた信号を当該選択した反復復号手段に反復復号させる第１のゲート制御手段と、
シーク動作の開始に応じて、当該シーク動作の開始前に前記記録媒体から得られた信号の反復復号を実行している前記反復復号手段に供給する基準クロックを、当該シーク動作の開始前の基準クロックの周期を維持させる第２のゲート制御手段と、
シーク動作の終了に応じて、前記第２のゲート制御手段による基準クロックの供給を受けて反復復号処理を実行している反復復号手段とは別の反復復号手段を選択し、前記第２のゲート制御手段により基準クロック信号を供給している基準クロック供給手段とは別の基準クロック供給手段を選択し、当該選択した基準クロック供給手段にシーク先から得られるデータの復号処理に適合する基準クロックを当該選択した反復復号手段へ供給させ、前記シーク先から得られるデータを当該選択した反復復号手段に反復復号させる第３のゲート制御手段、
として機能させることを特徴とするプログラム。
【請求項４】
反復復号方式によりデータを復号するデータ復号器であって、
基準クロックを出力する複数の基準クロック供給手段と、
前記基準クロック供給手段から出力される基準クロックの供給を受け、前記供給を受けた基準クロックに同期して前記記録媒体から得られた信号を反復復号する複数の反復復号手段と、
前記複数の基準クロック供給手段より選択した基準クロックを、前記複数の反復復号手段より選択した反復復号手段に供給し、前記記録媒体から得られた信号を当該選択した反復復号手段に反復復号させる第１のゲート制御手段と、
シーク動作の開始に応じて、当該シーク動作の開始前に前記記録媒体から得られた信号の反復復号を実行している前記反復復号手段に供給する基準クロックを、当該シーク動作の開始前の基準クロックの周期を維持させる第２のゲート制御手段と、
シーク動作の終了に応じて、前記第２のゲート制御手段による基準クロックの供給を受けて反復復号処理を実行している反復復号手段とは別の反復復号手段を選択し、前記第２のゲート制御手段により基準クロック信号を供給している基準クロック供給手段とは別の基準クロック供給手段を選択し、当該選択した基準クロック供給手段にシーク先から得られるデータの復号処理に適合する基準クロックを当該選択した反復復号手段へ供給させ、前記シーク先から得られるデータを当該選択した反復復号手段に反復復号させる第３のゲート制御手段と、
を備えたデータ復号器。
【発明の詳細な説明】
【０００１】
【発明が属する技術分野】
本発明は、データ再生装置に反復復号処理を適用した際の、データ再生速度を向上する技術に関する。
【０００２】
【従来の技術】
データ再生装置で扱う記録媒体には、データ再生装置の上位のコンピュータで扱うデータ（以下、ユーザデータと呼称）をＥＣＣで符号化したデータが、図１に示す所定のフォーマット規則にしたがって記録されている。ＥＣＣによる符号化は、例えばデータ長が３２KByte毎に行われ、この符号化されるデータの単位をＡＳ-ＭＯ（Advanced Storage - Magneto Optical）規格ではフレーム(Frame)100と呼ぶ。
【０００３】
このフレーム100は、プリピットやウォブルを用いて記録及び再生時の物理的アドレスが付加されたアドレス領域101と、ユーザデータを所定のデータ長毎に符号化したデータを記録する複数のデータ領域102及び103で構成されている。なお、ＩＳＯ(International Organization for Standardization)規格ではセクタ（Sector）がここでのフレームに相当する。以下、説明の簡単化を図るため、ＡＳ-ＭＯ規格の用語を用いた説明を行う。
【０００４】
クロック同期方式として外部同期方式を用いる場合、アドレス領域101はファインクロックマーク104及びアドレス情報105で構成され、データ領域102及び103はファインクロックマーク104及び符号化されたデータ107で構成される。なお、アドレス領域101及びデータ領域102及び103の先頭に付加されているファインクロックマーク104は、プリピット又はウォブルで形成されている。
【０００５】
外部同期方式を用いるデータ再生装置は、光学ヘッドより照射するビームスポットがファインクロックマーク104を通過した際に検出されるT-PP(Tangential-Push Pull)信号を用いて、再生信号に同期した基準クロックを生成している。この基準クロックは、記録媒体の記録データから読取った再生信号よりアドレス及びデータを検出する際に用いられており、ビームスポットを所望のトラックに照射し続けることにより得ることができる。
【０００６】
次に、従来の復号動作のタイミングチャートを図２に示す。トラック上を照射するビームスポットがアドレス情報105の先頭に付加されたアドレス同期（Sync）を通過したときアドレス同期信号（Address Sync）が立ち上がり、これを検知したデータ再生装置の制御部はアドレス部リードゲート信号（Address Read Gate）を開き、再生信号より検出したアドレス情報105をアドレスリードデータ信号（Address Read Data）より得る。このアドレス情報の検出処理は、アドレス領域101の先頭に付加されているクロックマーク104をビームスポットで照射することにより得られる基準信号の逓倍に同期した基準クロックのタイミングを用いて行なわれる。
【０００７】
データ再生装置の制御部は、検出されたアドレス情報106が目的のアドレスであることを検知すると、データ部リードゲート信号（Data Read Gate）を開き、再生信号より検出したデータ領域102及び103のデータ107をＭＯ部リードゲート信号(MO Read Gate)より得る。この１フレーム100に含まれる複数のデータ領域102及び103の検出処理は、データ領域102及び103の先頭に付加されているクロックマーク104をビームスポットで照射することにより得られる基準信号の逓倍に同期した基準クロックのタイミングを用いて行なわれる。
【０００８】
図２に示す例は、データの検出処理を反復して行う必要の無い復号方式として、例えばPRML(Partial Response Maximum Likelihood)復号方式を用いた従来の復号動作のタイミングチャートを示している。上述の例において、データの復号処理は次のアドレス同期信号の立ち上がりを検出するまでに終わるため、データ再生装置は、アドレス同期信号の検出に対してアドレス情報105及びデータ107の検出を即時に行うことができる。
【０００９】
一方、データ検出処理において、優れた符号化利得が得られる反復復号を用いたデータ再生装置が考えられている。基準クロックと反復復号動作のタイミングチャートを、図４を用いて説明する。図４の例では、トラック上のアドレス[1]のデータd[1]及びアドレス[2]のデータd[2]及びアドレス[3]のデータd[3]及びアドレス[4]のデータd[4]の再生信号を時刻t1及びt2及びt3及びt7において取得し、時刻t1及びt3及びt5及びt7においてデータの検出処理を開始している。図４に示すタイミングチャートは、図２のタイミングチャートで示したアドレス同期信号やアドレス部リードゲート信号などの図示を省略している。なお、上述のデータd（例えば、アドレス[1]のデータd[1]）は、図１に示す物理フォーマットのフレーム100に含まれる複数のデータ領域102及び103のデータ部107を含んで構成される。
【００１０】
また、上述のデータの検出処理は、データ再生装置の反復復号回路を用いて行われ、１つの反復復号回路において同時に処理できるデータは１つとなる。それゆえに、反復復号回路においてデータの検出処理が終了する前に次のアドレスのデータの再生信号を得た場合は、反復復号回路における検出処理が終了するまで処理待ち時間が生じる。例えば、時刻t2に得られるデータd[2]は、反復復号回路におけるデータd[1]の検出処理が終了する時刻t3に至るまで、検出処理が行われない。このように、反復復号動作においては、反復回数に応じて復号処理時間が多く必要となるため、トラック上より得られるデータに対して復号処理を即時に行うことができない場合がある。
【００１１】
特許文献１には、記録再生装置に反復復号を適用した場合に生じるこの問題を解決する技術として、複数の反復復号回路を並列に接続した反復復号器が記載されている。この反復復号器では、時分割された複数のブロックを各復号回路で並行して復号することにより、アドレス部データゲート信号の検出に対して反復復号処理を連続動作(on the fly)させることを可能としている。図５は、並列に構成した反復復号動作のタイミングチャートを示したものである。図５に示す例では、時刻t1及びt2及びt3においてアドレス[1]のデータd[1]及びアドレス[2]のデータd[2]及びアドレス[3]のデータd[3]の再生信号がトラックより得られ、各時刻t1及びt2及びt3においてデータd[1]及びd[2]及びd[3]の検出処理が並行して行われている。すなわち、トラックより得られるデータd[1]及びd[2]及びd[3]に対する反復復号処理を連続動作させることを可能としている。
【００１２】
【特許文献１】
特開２００２−９６３３号公報
【００１３】
【発明が解決しようとする課題】
記録媒体の記録データから読取った再生信号は、基準クロックに同期してサンプリングされ、デジタル信号に変換される。この基準クロックを生成する方式として、外部クロック方式がある。外部クロック方式は、基準信号となるファインクロックマークを、記録媒体のトラック上にあらかじめ所定の間隔を持って正確に形成しておき、記録媒体に照射するビームスポットがファインクロックマークを通過した際に生じるT-PP信号より、基準クロックを生成する。
【００１４】
外部クロック方式を用いる従来のデータ再生装置は、データの再生及び復号の過程で用いる基準クロックを得るために、所望のトラック上にビームスポットを照射し続ける必要がある。これは、上述の反復復号回路を複数並列に接続した構成を持つ従来のデータ再生装置においても同様となる。
【００１５】
例えば、図５に示す例のように、時刻t6にアドレス[6]のデータd[6]の再生信号がトラックより得られ、時刻t6からt7の間、反復復号回路３においてデータd[6]の検出処理が行われる場合、反復復号回路におけるデータd[6]の反復復号処理が終了する時刻t7に至るまで、反復復号回路３への基準クロックの供給が必要となる。
【００１６】
すなわち、反復復号処理を適用した従来のデータ再生装置では、反復復号処理が終了するまでの間、基準クロックを供給するためにビームスポットを所望のトラック上に照射し続ける必要があるため、反復復号処理が終了するまでシーク動作を開始することが出来ない。
【００１７】
そのため、反復復号を適用した従来のデータ再生装置は、反復処理を伴わないアルゴリズムを採用した復号回路を適用するデータ再生装置と比べて、データ転送速度が遅いという問題がある。
【００１８】
また、記録媒体上に瑕が存在することにより基準信号に乱れが生じた場合、瑕のある箇所の直前に記録されているデータの反復復号処理が、正常にデータを読み込めるにも係らず、前述の基準信号の乱れにより反復復号処理を正常に動作させることが出来ない。そのため、データの再読み込みの成功率が低下し、データ再生の信頼性が失われるという問題がある。
【００１９】
そこで本発明は、データ転送速度及び信頼性を向上させるために、基準信号の乱れに影響を受けることなく安定した反復復号処理を行うことを可能とする反復復号回路を適用したデータ再生装置の提供を目的とする。
【００２０】
【課題を解決するための手段】
本発明の一実施形態に係るデータ再生装置は、記録媒体から得られる信号に基づいて記録媒体に記録されたデータを再生するデータ再生装置であって、基準クロックを出力する複数の基準クロック供給手段と、基準クロック供給手段から出力される基準クロックの供給を受け、供給を受けた基準クロックに同期して記録媒体から得られた信号を反復復号する複数の反復復号手段と、基準クロック供給手段から出力される基準クロックの供給を受け、供給を受けた基準クロックに同期して記録媒体から得られた信号からアドレス情報を取得し、当該取得したアドレス情報が目的のアドレスであるか否かを判定し、目的のアドレスでないと判定された場合に、当該目的のアドレスへのシーク動作の開始要求を出力するシーク制御手段と、複数の基準クロック供給手段より選択した基準クロックを、複数の反復復号手段より選択した反復復号手段に供給し、記録媒体から得られた信号を当該選択した反復復号手段に反復復号させる第１のゲート制御手段と、シーク動作の開始要求の通知に応じて、当該シーク動作の開始前に記録媒体から得られた信号の反復復号を実行している反復復号手段に供給する基準クロックを、当該シーク動作の開始前の基準クロックの周期を維持させる第２のゲート制御手段と、シーク動作の終了に応じて、第２のゲート制御手段による基準クロックの供給を受けて反復復号処理を実行している反復復号手段とは別の反復復号手段を選択し、第２のゲート制御手段により基準クロック信号を供給している基準クロック供給手段とは別の基準クロック供給手段を選択し、当該選択した基準クロック供給手段にシーク先から得られるデータの復号処理に適合する基準クロックを当該選択した反復復号手段へ供給させ、シーク先から得られるデータを当該選択した反復復号手段に反復復号させる第３のゲート制御手段と、を備える。
また、本発明の一実施形態に係るデータ再生装置において、第１のゲート制御手段は、記録媒体から得られる信号を供給した基準クロック供給手段より出力される基準クロックを選択し、当該選択した基準クロックを前記反復復号手段に供給して反復復号させる。
また、本発明の一実施形態に係るデータ再生装置において、第２のゲート制御手段は、シーク動作の開始要求の通知に応じて、基準クロックを出力する基準クロック供給手段への記録媒体から得られる信号の供給を遮断することにより、当該基準クロック供給手段が出力する基準クロックの周期をシーク動作開始前における周期に維持させる。
また、本発明の一実施形態に係るデータ再生装置において、第３のゲート制御手段は、シーク動作の終了に応じて、当該選択した基準クロック供給手段への当該シーク先における記録媒体から得られる信号の供給を開始することにより、シーク先から得られるデータの復号処理に適合する基準クロックを取得する。
【００２１】
以上の構成により、本発明によるデータ再生装置は、基準信号の乱れに影響を受けることなくデータの反復復号処理を行うことを可能とし、データ転送速度及び信頼性を向上させることが出来る。
【００２２】
【発明の実施の形態】
以下、本発明の実施の形態を図面に基づいて説明する。
【００２３】
本発明の実施例の一形態に係わるデータ再生装置は、図６に示すように構成される。このデータ再生装置は、光ディスクを記録媒体とした光ディスク装置である。
【００２４】
図６においてこのデータ再生装置は、再生機構200、アドレス検出部300、ユーザデータ再生部400、基準クロック生成部500、制御部600を有する。
【００２５】
再生機構200は、図示しない光ビーム出力ユニット及び光検出器を備えた光学ヘッド220、記録媒体となる光磁気ディスク210及びこの光磁気ディスクを所定の速度にて回転させるディスク駆動装置を有する。
【００２６】
アドレス検出部300は、信号増幅回路310、波形整形回路320、アドレス検出回路330を有する。
【００２７】
ユーザデータ再生部500は、信号増幅回路510、波形整形回路520、アナログ/デジタル変換回路530、反復復号器540を有する。また、反復復号器540は、ゲートコントローラ541、DEMUX542、反復復号回路１(543)、反復復号回路２(544)、反復復号回路３(545)、MUX(546)を有する。
【００２８】
基準クロック生成部400は、信号増幅回路410、波形整形回路420、二値化回路430、基準クロック生成回路440を有する。また、基準クロック生成回路440は、反復復号器のゲートコントローラ541より入力される制御信号に基づいて、生成する基準クロックを現入力の基準信号の逓倍に同期させる同期状態と、ある時点に生成した基準クロックを維持して生成する安定状態とを切り換える機能を有する。
【００２９】
次に、記録媒体となる光ディスク210からユーザデータを再生する処理の流れを説明する。
【００３０】
まず、再生機構200の光学ヘッド220から光ディスク210面上にレーザビームを照射することにより、R-PP(Radial Push Pull)信号及びT-PP(Tangential Push Pull)信号、ＭＯ再生信号が取得される。
【００３１】
R-PP信号は、ビームスポットにおけるディスク半径方向の光強度を、電気信号として検出した信号であり、トラック上にウォブル形成されたアドレスデータを再生したものとなる。また、アドレスデータをピットで形成する方式の場合、アドレスデータの検出には全反射光であるSUM信号が用いられる。以下、本実施形態では説明の簡単化を図るため、R-PP信号からアドレスデータを検出する方式について説明する。
【００３２】
データ再生装置は、R-PP信号を信号増幅回路310で信号増幅し、波形整形回路320で波形整形した後、アドレス検出回路330でアドレスデータを検出し、検出したアドレスデータを制御部600へ供給する。アドレスデータの検出処理を行うアドレス検出回路330は、基準信号であるT-PP信号の逓倍に同期した基準クロックが、基準クロック生成回路440より供給される。
【００３３】
次に、アドレスデータの供給を受けた制御部600は、供給されたアドレスデータが所望のアドレスであった場合、そのアドレスに対応するデータ領域に記録されているユーザデータの再生を指示するＤＲＧ(Data Read Gate)信号を出力する。
【００３４】
データ再生装置は、制御部600からＤＲＧ信号が出力されたのを契機に、ＭＯ再生信号からユーザデータの再生処理を開始する。
【００３５】
すなわち、再生機構200の光学ヘッド220より得られるMO再生信号を、信号増幅回路510で信号増幅し、波形整形回路520で波形整形した後、アナログ/デジタル変換回路(Analog to Digital Converter)530で波形整形後のMO再生信号をサンプリングし、反復復号器540でサンプリングデータを復号することにより、ユーザデータを出力する。なお、上述の反復復号処理では、ＣＲＣ（Cyclic Redundancy Check）による誤り検出及びＥＣＣ(Error Correcting Code)による誤り訂正が行われる。
【００３６】
次に、反復復号器540に含まれる反復復号回路543及び544及び545の機能構成例を図３に示す。反復復号回路は、第一の軟入力・軟出力復号器6100と第二の軟入力・軟出力復号器6200との２つの復号器で構成されている。反復復号回路の動作を、図３を用いて説明する。
【００３７】
まず、記録媒体の記録データから読取った再生信号のサンプリングデータyiが、第一の軟入力・軟出力復号器6100の事後確率復号器（PR Channel APP）6101へ供給されると、事後確率復号器6101は、入力サンプリング値Y(y1, y2, …yn)が検出された条件のもとで符号化前のビットciが１となる条件付確率P(ci=1|Y)と、ciが０となる条件付確率P(ci=0|Y)との対数尤度比L(ci*)尤度情報値を計算する。ここで、対数尤度比L(ci*)＞０となる場合は条件付確率P(ci=1|Y)が相対的に大きく、逆に対数尤度比L(ci*)＜０となる場合は条件付確率P(ci=0|Y)が相対的に大きいことを意味する。
【００３８】
反復回数が最初の１回目の場合、事前情報La(ci)は、すべて０の系列となる。すなわち、符号化前のビットciが”1”である確率と”0”である確率が同じであることを意味する。
【００３９】
次に、事後確率復号器6001の出力L(ci*)からインタリーバ6400の出力である事前情報La(ci)を減算して、外部尤度情報Le(ci)を得る。さらに外部尤度情報Le(ci)は、デインタリーバ6300を用いて変換され、第二の軟入力・軟出力復号器6200に対する事前情報La(c)として、デパンクチャ(DEMUX Depuncture)6201に入力される。入力を受けたデパンクチャ6201は、データビットukの尤度情報L(uk)とパリティビットpkの尤度情報L(pk)を、事前情報La(c)の系列から取得し、事後確率復号器(Code APP)6202へ供給する。
【００４０】
事後確率復号器6202は、データビットukの事後確率の対数尤度比L(u*)及びパリティビットpkの事後確率の対数尤度比L(p*)を、L(uk)とL(pk)とから取得し出力する。
【００４１】
事後確率復号器6202から出力された対数尤度比L(u*)及びL(p*)は、パンクチャ(MUX Puncture)6203に入力され、対数尤度情報L (u*)及びL(p*)の結合及び間引きされたデータ系列である尤度情報L(c*)に変換される。
【００４２】
次に、デインタリーバ6300で出力された事前情報La(c)を尤度情報L(c*)から減算し、外部尤度情報Le(c)を得る。さらに、外部尤度情報Le(c)は、インタリーバ6400を用いて変換されることにより、第一の軟入力・軟出力復号器6100に対する事前情報La(ci)となる。
【００４３】
インタリーバ6400より出力された事前情報La(ci)は、第一の軟入力・軟出力復号器6100の事後確率復号器6101に供給され、上述の処理が繰り返して実行される。反復処理を所定の回数繰り返した後、第二の軟入力・軟出力6200の事後確率復号器6202から出力される事後確率の対数尤度比L(u*)は、硬判定器6500で”1”又は”0”に判定される。言い換えると、硬判定器6500は、事後確率復号器6202より入力される尤度情報L(u*)を所定の周期で判定し、L(u*)＞０であれば”１”、L(u*)＜０であれば”０”を出力する。ここでの所定の周期は、反復復号器の反復処理の回数により定められる。
【００４４】
なお、上述のアナログ/デジタル変換回路530におけるサンプリング処理及び反復復号器540における反復復号処理には、ファインクロックマークの検出信号であるT-PP信号より生成した基準クロックが用いられる。
【００４５】
上述の基準クロックの生成は次のようにして行われる。まず、再生機構200の光学ヘッド220より得られるT-PP信号を、信号増幅回路410で信号増幅し、波形整形回路420で高域のノイズを除去する。さらに、波形整形後のT-PP信号を、二値化回路430で二値化信号に変換し、基準クロック生成回路440を用いて二値化したT-PP信号の基本周波数の逓倍に同期させたパルスを生成することにより、基準クロックは得られる。ここで、記録媒体となる光ディスク210上に成形されたファインクロックマークの検出信号であるT-PP信号は、基準クロックを生成するための基準信号として機能している。
【００４６】
反復復号器540のゲートコントローラによる制御の流れを、図７を用いて説明する。
【００４７】
まず、アドレス検出部300より供給されるアドレス情報から所望のアドレスであることを認識した制御部600は、反復復号器540のゲートコントローラ541にＤＲＧ信号を通知する。通知を受けたゲートコントローラ541は、ＤＥＭＵＸ542に制御信号を通知し、受信したデータ系列を反復復号回路１(543)に入力させる。データ系列の入力を受けた反復復号回路１(543)は、反復復号処理を実行する。図７に示す例では、反復復号回路１(543)を用いて、アドレス[1]のデータd[1]の復号処理を３回反復する例（図７に示すd[1:1],d[1:2],d[1:3]は各反復復号処理を示している）を示している。
【００４８】
ゲートコントローラ541は、制御部600から通知されるＤＲＧ信号の回数をカウントするカウンタを有しており、次にＤＲＧ信号の通知を受けた場合にはＤＲＧ信号のカウント値に基づいてＤＥＭＵＸ542に制御信号を通知し、入力されたデータ系列を反復復号回路２(544)に入力させる。図７に示す例では、反復復号回路２(544)を用いて、アドレス[2]のデータd[2]の復号処理を３回反復する例を示している。以下同様に、ゲートコントローラはＤＲＧ信号のカウント値に基づいてＤＥＭＵＸ542を制御して、順次読み込まれる再生信号を、各反復復号回路(543,544,545)に巡回して入力していく。
【００４９】
次に、制御部600よりシーク動作の開始要求を受けたゲートコントローラは、基準クロック生成回路の回路構成を、現在生成している基準クロックの周期を保持する働きを持つ回路構成に切り換える制御を行う。図７に示す例では、時刻t7からt9までシーク動作が行われた例を示している。また、図７に示す例において基準クロック生成回路は、時刻t1からt7の間、現入力の基準信号に同期した基準クロックを生成し、時刻t7からt9の間、時刻t7に生成したクロックの周期を保持した基準クロックを生成し、時刻t9以降、現入力の基準信号に同期した基準クロックを生成している。
【００５０】
本実施例における、基準クロック生成回路440の回路構成例を、図８に示す。本実施例の基準クロック生成回路440は、位相比較器（Phase Comp.）441、ループフィルタ（LF）442、電圧制御発振器（VCO）443、クロック分周器（Counter）444を有する。また、上述のループフィルタ442は、反復復号器540のゲートコントローラ541より供給される制御信号に基づいて、ループフィルタ442のダンピング係数を変更できるように構成されており、基準信号の安定した供給が停止した後も電圧制御発振器443に入力する電圧を、一定電圧に保持することを特徴とする。換言すると、上述の基準クロック生成回路は、ループフィルタ442の庫回路構成を切り替えることにより、基準信号の乱れに影響を受けることなく所望の電圧値を保持することが可能となる。
【００５１】
電圧制御発振器443を一定電圧に保持するためのループフィルタ442の回路例を図９に示す。図９に示す回路は、一般的に知られているLag-lead型フィルタを用いた構成である。
【００５２】
本発明による基準クロック生成回路440のループフィルタ442は、位相比較器441の出力信号により制御されるＳＷ１(44202)とＳＷ２(44203)を有している。このＳＷ２(44202)及びＳＷ２(44203)は、電圧制御発振器443に入力される電圧の大きさを調整する、という働きを持つ。
【００５３】
図８で示す位相比較器441は、クロック分周器により分周された電圧制御発振器443の出力クロックと基準信号とを比較し、位相及び周波数の差から、図９に示すループフィルタのＳＷ２(44202)とＳＷ２(44203)を制御する制御信号を出力する。基準信号に対して電圧制御発振器の出力クロックが遅れている場合、電圧制御発振器が出力するクロックの周波数を上げるため、ループフィルタのＳＷ２(44202)をON及びＳＷ２(44203)をOFFにして、直流電流源１(Current Source 1)44201の電流をコンデンサC１(44209)にチャージする。直流電流源１(Current Source 1)44201より電流を流すことにより、電圧制御発振器443へ制御電圧が入力され、電圧制御発振器443から出力されるクロックの周波数が増加する。
【００５４】
また、基準信号に対して電圧制御発振器443の出力クロックが進んでいる場合、電圧制御発振器443が出力するクロックの周波数を下げるため、ループフィルタ442のＳＷ２(2403)をON及びＳＷ１(2402)をOFFにして、コンデンサC1(44209)にチャージされた電荷をデチャージする。コンデンサC１(44209)の蓄積電荷をデチャージすることにより、電圧制御発振器443へ入力される電圧が下がり、電圧制御発振器443から出力されるクロックの周波数が減少する。
【００５５】
以上の処理により、従来の基準クロック生成回路は、電圧制御発振器443に入力される電圧を制御し、基準クロックの周波数を調整している。
【００５６】
さらに、本発明による基準クロック生成回路440のループフィルタ442は、反復復号器540のゲートコントローラ541より出力される制御信号に基づいて切換るＳＷ３(44206)を有している。このＳＷ３(44206)は、ループフィルタ442のダンピング係数を切り換えるという働きを持つ。
【００５７】
図９に示す例において、ループフィルタ442の伝達関数F(s)は次式（１）で表される。
【００５８】
【式１】
0004120480.tif 000002
【００５９】
ループフィルタ442のＳＷ３(44206)がONの場合、合成抵抗Ｒは次式（２）となり、ＳＷ３がOFFの場合、合成抵抗Ｒは次式（３）となる。
【００６０】
【式２】
0004120480.tif 000003
【００６１】
【式３】
0004120480.tif 000004
【００６２】
ＳＷ３(44206)をON又はOFFに切り換えることにより合成抵抗Ｒが変化し、式（１）の時定数τ2が変化する。この時定数τ2は、基準クロック生成回路440の応答性と安定性を決定する主要因であるダンピング係数（減衰係数）ζと次式（４）の関係にあることが知られている。
【００６３】
【式４】
0004120480.tif 000005
【００６４】
また、ＳＷ３(44206)がONの場合の合成抵抗Ｒと、ＳＷ３がOFFの場合の合成抵抗Ｒとの関係は次式（５）で表される。
【００６５】
【式５】
0004120480.tif 000006
【００６６】
したがって、ＳＷ３(44206)がOFFの場合、ＳＷ３(44206)がONの場合と比較して、合成抵抗Ｒが大きくなるため、式４の関係からダンピング係数ζが大きくなることがわかる。ダンピング係数ζは基準クロック生成回路440の応答性と安定性を表す値であり、この値が大きくなれば、基準信号の周期変動に追従し難くなる。すなわち、ダンピング係数が大きな値であるほど、基準信号の周期変動に影響を受けにくくなり、安定性が増す。そのため、シーク動作を開始するとともに、ＳＷ３(44206)をOFFにすることにより、シーク動作直前に入力していた電圧制御発振器443の入力電圧を、ＳＷ３(44206)がONの場合より長く維持することが可能となる。すなわち、電圧制御発振器443から出力される基準クロックの周波数を、ほぼ一定に保つことが可能となる。
【００６７】
なお、図９に示すループフィルタ442の回路例におけるコンデンサC2(44208)は、高域のゲインを低下させるための回路素子であるため、ループフィルタ442の伝達関数を取り扱う上では無視するものとする。
【００６８】
このように、上述の基準クロック生成回路は、シーク動作の開始に応じてＳＷ３(44206)の制御を受け、ダンピング係数を大きくする回路構成に切り換えることにより、基準信号の安定した供給が停止する直前に生成された基準クロックと同じ発振周波数を有する基準クロックを、反復復号処理が終了するまでの期間、反復復号器540に供給することが可能となる。換言すると、上述のデータ再生装置の反復復号器540は、シーク動作による基準信号の乱れに影響を受けることなく、安定した反復復号処理を継続することが可能となる。
【００６９】
次に、本発明による基準クロック生成回路440のもう一つの実施形態を、図１０を用いて説明する。本実施形態における基準クロック生成回路440は、位相比較器(Phase Comp.)441、ループフィルタ(LF)442、サンプル＆ホールド回路445、電圧制御発振器(VCO)443、クロック分周器(Counter)444を有する。本実施形態による基準クロック生成回路440のサンプル＆ホールド回路(SH)445は、反復復号器540のゲートコントローラ541より供給される制御信号に基づいて回路構成を切り換えることにより、ループフィルタ442の出力信号を電圧制御発振器443に供給し、又は一定の電圧にホールドすることを特徴とする。
【００７０】
上述のサンプル＆ホールド回路445の構成例を図１１に示す。
【００７１】
本実施形態によるサンプル＆ホールド回路445は、反復復号器540のゲートコントローラ541より出力される制御信号に基づいて回路構成を切り換えるＳＷ44501を有している。このＳＷ44501は、ループフィルタ442の出力をサンプル＆ホールド回路445に入力するか否かを制御する働きを持つ。
【００７２】
反復復号器540のゲートコントローラ541は、トラックにビームスポットを追従させることにより再生信号からファインクロックマークによる基準信号を得ている間、サンプル＆ホールド回路445のＳＷ44501をONに切換る。これにより、ループフィルタ442の出力を電圧制御発振器443に入力することになる。一方、シーク動作を開始することにより、T-PP信号などの基本信号の安定した供給が停止したとき、すなわち基本信号に乱れが生じたとき、反復復号器540のゲートコントローラ541はサンプル＆ホールド回路445のＳＷ44501をOFFにする。これにより、コンデンサC44502の蓄積電荷がデチャージされ、ＳＷ44501をOFFにする前と同じ電圧値を電圧制御発振器443に入力することができる。
【００７３】
このように、サンプル＆ホールド回路445のＳＷ44501を切り換える構成とすることにより、電圧制御発振器443から出力される基準クロックの周波数を一定に保つことができる。すなわち、基準信号の安定した供給が停止した後も、基準信号の乱れに影響を受けることなく、乱れる直前の基準信号の逓倍に同期した基準クロックを生成することが可能となる。
【００７４】
上述の第一の実施例は、シーク動作時における反復復号処理を正常に継続するための基準クロックを生成する基準クロック生成回路440を有した構成について説明した。この実施例では、シーク動作が終了するまでの間に、シーク動作を開始する前に読み込んだデータの復号処理が終了することを前提としている。シーク動作が終了するまでの間に、シーク動作を開始する前に読み込んだデータの復号処理が終了しなかった場合は、基準クロック生成回路440はシーク動作前の基準クロックを保持しているため、シーク先でのデータ再生処理に適合する基準クロックを新たに供給することができないという問題がある。
【００７５】
図１２は、この問題が生じる場合の反復復号動作のタイミングチャートを示したものである。図１２において、データ再生装置は、時刻t7に反復復号回路３(545)における１回目の反復複合処理が終了し、反復復号回路３(545)におけるデータd[6]の反復復号処理が行われている時刻t8にシーク動作を開始し、反復復号回路３(545)におけるデータd[6]の反復復号処理が継続して行われている時刻t9に所望のトラックを検出しシーク動作を終了している。しかしながら、シーク動作が終了する時刻t9において、基準クロック生成回路540はデータd[6]の反復復号処理を行う反復復号回路３(545)に基準クロックを供給しているため、データ再生装置は、シーク先に記録されているデータd[7]の再生に必要となる基準クロックを基準クロック生成回路440から得られず、反復復号回路３(545)におけるデータd[6]の反復復号処理が終了する時刻t10に至るまで、シーク先に記録されているデータd[7]を再生することができない。このため、シーク先のトラックで回転待ちが生じ、アクセス時間を短縮する改善において妨げとなる。
【００７６】
この問題を回避するための第二の実施例を、図１４を用いて説明する。図１４に示す再生信号処理構成は、第一の実施例と同様に複数の反復復号回路を並列に接続した反復復号器540を有しており、回路特性を切り換可能な構成とした基準クロック生成回路(440及び450)を２つ有している点において第一の実施例と異なる。また、図１３に示す再生信号処理構成は、２つの基準クロック生成回路(440及び450)より供給される基準クロックのうち一つを選択して各機能部に供給する構成を有している。なお、図１４に示すデータ再生装置の構成は、再生機構及びアドレス検出部の図示を省略している。
【００７７】
第二の実施例によるデータ再生装置の処理の流れを、図１３を用いて説明する。図１３は、基準クロック生成回路(440及び450)を２つ有する構成としたデータ再生装置の反復復号動作のタイミングチャートを示したものである。
【００７８】
まず、データ再生装置は、時刻t1において、トラックから再生したデータd[1]の反復復号処理を、反復復号回路を用いて行う。ゲートコントローラは、反復復号回路１へ供給する基準クロックを選択するセレクタ（ＳＥＬ１）を制御することにより、基準クロック生成回路１より出力される基準クロックを、反復復号回路１へ供給する。これにより、反復復号回路１は、データd[1]の反復復号処理を行う時刻t1からt3の間、光学ヘッドより得られる現入力の基準信号に同期した基準クロックを基準クロック生成回路１より供給される。
【００７９】
次に、データ再生装置は、時刻t2において、トラックより再生されたデータd[2]の反復復号処理を、反復復号回路２を用いて行う。さらに、データ再生装置は、データd[2]の２回目の反復復号処理d[2:2]が行われている時刻t5において、シーク動作を開始するものとする。このときゲートコントローラは、反復復号回路２におけるデータｄ[2]の１回目の反復復号処理が終了する時刻t3に至るまでに、制御部よりシーク動作開始の要求の通知を受け、反復復号回路２におけるデータｄ[2]の１回目の反復復号処理が終了する時刻t3において、基準クロック生成回路１(440)の回路構成を切り換える制御を行うとともに、基準クロック生成回路１(440)への基準信号の入力を遮断する制御をＤＥＭＵＸ460に対して行う。
【００８０】
これにより、基準クロック生成回路１（440）は、図示しない光学ヘッドより入力される基準信号であるT-PP信号に影響を受けることなく、時刻t3における基準クロックを保持し続けることが可能となる。ここで、基準クロック生成回路１(440)において基準クロックを保持する回路構成は、上述の第一の実施例と同様となる。
【００８１】
反復復号回路２(544)におけるデータd[2]の反復復号処理が行われている時刻t5に開始したシーク動作は、反復復号回路２(544)におけるデータd[2]の反復復号処理が継続して行われている時刻t6に所望のトラックを検出しシーク動作を終了する。
【００８２】
シーク先のトラックよりデータd[3]を再生する要求を制御部600より受けたゲートコントローラ541は、基準クロック生成回路２(450)へ基準信号を供給する制御をＤＥＭＵＸ460に対して行う。さらに、ゲートコントローラ541は、反復復号回路３(545)へ供給する基準クロックを選択するセレクタ３(ＳＥＬ３)473を制御することにより、基準クロック生成回路２(450)より出力される基準クロックを、反復復号回路３(545)へ供給する。これにより、反復復号回路３(545)は、時刻t6からt9の間、図示しない光学ヘッドより入力されるシーク先の基準信号に同期した基準クロックを基準クロック生成回路２(450)より供給され、シーク先のトラックより再生したデータd[3]の反復復号処理を行う。
【００８３】
一方、ゲートコントローラ541は、反復復号回路２(544)におけるデータd[2]の反復復号処理が終了する時刻t7において、基準クロック生成回路１(440)の回路構成を切り換える制御を行うとともに、基準クロック生成回路１(440)へ基準信号を供給する制御をＤＥＭＵＸ460に対して行う。これにより、基準クロック生成回路１(440)は、図示しない光学ヘッドより入力される現入力の基準信号に同期した基準クロックを生成することになる。なお、反復復号回路２(544)におけるデータd[2]の反復復号処理が終了する時刻t7の検出は、記録媒体のフォーマット規格より定められるデータ長と、１データの反復復号処理に必要となるクロック数より、反復復号処理に要する処理時間を求めることによって特定することが可能である。
【００８４】
次に、データ再生装置は、時刻t8にデータd[4]及び時刻t10にデータd[5]及び時刻t12にデータd[6]を再生し、反復復号回路１(543)でデータd[4]及び反復復号回路２(544)でデータd[5]及び反復復号回路３(545)でデータd[6]の反復復号処理を行う。ここで、データd[4]の反復復号処理を行う反復復号回路１(543)及びデータd[5]の反復復号処理を行う反復復号回路２(544)及びデータd[6]の反復復号処理を行う反復復号回路３(545)は、図示しない光学ヘッドより得られる現入力の基準信号に同期した基準クロックを基準クロック生成回路２(450)より供給される。
【００８５】
さらにデータ再生装置は、データd[6]の２回目の反復復号処理d[6:2]が継続して行われている時刻t15において、シーク動作を開始するものとする。
【００８６】
このときゲートコントローラは、反復復号回路３におけるデータｄ[6]の１回目の反復復号処理が終了する時刻t13に至るまでに、制御部よりシーク動作開始の要求の通知を受け、反復復号回路３におけるデータｄ[6]の１回目の反復復号処理が終了する時刻t13において、基準クロック生成回路２(450)の回路構成を切り換える制御を行うとともに、基準クロック生成回路２(450)への基準信号の入力を遮断する制御をＤＥＭＵＸ460に対して行う。
【００８７】
これにより、基準クロック生成回路１(440)は、図示しない光学ヘッドより得られる現入力の基準信号に影響を受けることなく、時刻t13における基準クロックを保持し続けることが可能となる。ここで、基準クロック生成回路２(450)において基準クロックを保持する回路構成は、上述の第一の実施例と同様となる。
【００８８】
反復復号回路３(545)におけるデータd[6]の反復復号処理が行われている時刻t15に開始したシーク動作は、反復復号回路３(545)におけるデータd[6]の反復復号処理が継続して行われている時刻t16に所望のトラックを検出しシーク動作を終了する。
【００８９】
シーク先のトラックよりデータd[7]を再生する要求を制御部より受けたゲートコントローラ541は、基準クロック生成回路１(440)へ基準信号を供給する制御をＤＥＭＵＸ460に対して行う。さらに、ゲートコントローラ541は、反復復号回路１(543)へ供給する基準クロックを選択するセレクタ１（ＳＥＬ１）471を制御することにより、基準クロック生成回路１(440)より出力される基準クロックを、反復復号回路１(543)へ供給する。これにより、反復復号回路１(543)は、図示しない光学ヘッドより得られるシーク先の基準信号の逓倍の周波数に同期した基準クロックを基準クロック生成回路１(440)より供給され、シーク先のトラックより再生したデータd[7]の反復復号処理を行う。
【００９０】
一方、ゲートコントローラ541は、反復復号回路３(545)におけるデータd[6]の反復復号処理が終了する時刻t17において、基準クロック生成回路２(450)の回路構成を切り換える制御を行うとともに、基準クロック生成回路２(450)へ基準信号を供給する制御をＤＥＭＵＸに対して行う。これにより、基準クロック生成回路２(450)は、光学ヘッドより得られる現入力の基準信号の逓倍の周波数に同期した基準クロックを生成することになる。
【００９１】
このように、基準クロック生成回路を複数有する構成とすることにより、過去に入力された基準信号の逓倍の周波数に同期した基準クロックを受けて動作する反復復号回路と、現入力の基準信号の逓倍の周波数に同期した基準クロックを受けて動作する反復復号回路とを、並行に動作させることが可能となる。
【００９２】
これにより、例えば、反復復号器540を適用したデータ再生装置において、シーク先のトラックにおける回転待ち時間が生じることの無い反復復号動作が可能となる。
【００９３】
なお、上述の反復復号器の機能構成は、論理回路を形成してハードウェアの形態で実現しても良く、各機能を実現するプログラムを記憶装置に記憶させ、ＭＰＵがこのプログラムを実行する形態で実現しても良い。
【００９４】
また、上述の実施形態では、該記録データの再生に供する該反復復号手段に供給する該基準クロックを保持するタイミングを、シーク動作開始の要求を受け、該反復復号手段での１回目の反復復号処理が終了した時点としたが、本発明はこれに限定するものではない。例えば、シーク動作の開始の要求を受け、その時点において動作しているアナログ／デジタル変換手段でのサンプリング処理が終了したことに応じて、上述の制御を行っても同じ効果を得ることができる。
【００９５】
その他のタイミングとしては、該反復復号手段の反復復号処理において、ゲート制御部が、ＣＲＣ方式による誤り検出処理又はＥＣＣ方式による誤り訂正処理におけるフレームの再読み込み要求を制御部から受け、かつ、再読み込みしたフレームのデータに対する１回目の反復復号処理が終了、すなわち記録媒体からデータの読み込みが終了した時点としても良い。なお、上述の再読み込み要求は、リードしたフレームの次のフレームに欠陥又はキズがある場合等に生じることが考えられる。
【００９６】
また、その他のタイミングとしては、ＺＣＡＶ（Zone Constant Linear Velocity）方式の記録媒体において、ゾーン切り替えが行われる時点としても良い。これにより、ゾーン切り替えによる線速度の変化に起因する基準信号の乱れに影響を受けずに、データの反復復号処理を安定して行うことが可能となる。
【００９７】
また、上述の実施形態では、クロック同期方式として外部同期方式の例を示したが、本発明はこれに限定するものではなく、セルフクロッキング方式においても、本発明の構成を適用することにより同じ効果が得られる。
【００９８】
以上説明したように、基準信号の入力とは独立して所望の発振周波数を維持することにより、反復復号処理が終了するまでの間に入力され得る乱れた基準信号に影響を受けずに、安定した反復復号処理を実行することが可能となる。
【００９９】
以上の説明に関して更に以下の項を追記する。
【０１００】
（付記１）基準クロックを出力する基準クロック供給手段と、記録媒体の記録データから読取った再生信号を前記基準クロックに同期してサンプリングするアナログ／デジタル変換手段と、前記サンプリングにより得られたデータを前記基準クロックに同期して反復復号する反復復号手段とを備えたデータ再生装置において、
前記基準クロック供給手段は、
前記記録媒体より得られる基準信号の逓倍の周波数に同期した発振周波数を有する第一の基準クロックと、
前記基準信号とは独立した所望の発振周波数を有する第二の基準クロックとを出力する機能を有し、
さらに前記データ再生装置は、
前記基準クロック供給手段から供給される前記第一及び第二の基準クロックのうち何れかを選択するゲート制御手段を有することを特徴とするデータ再生装置。
【０１０１】
（付記２）付記１記載のデータ再生装置において、
前記ゲート制御手段は、
基準信号に乱れが発生することに応じて、前記基準クロック供給手段より供給される基準クロックとして、基準信号に乱れが発生する前に入力された過去の基準信号に同期した発振周波数を有する前記第二の基準クロックを選択し、
前記基準クロック供給手段より出力される前記第二の基準クロックの供給を受けて動作する反復復号手段における反復復号処理が終了したことに応じて、前記基準クロック供給手段から供給される前記第一の基準クロックを選択する機能を有することを特徴とするデータ再生装置。
【０１０２】
（付記３）付記１記載のデータ再生装置において、
前記ゲート制御手段は、
シーク動作の開始に応じて、前記基準クロック供給手段より供給される基準クロックとして、シーク動作の開始前に入力された過去の基準信号に同期した発振周波数を有する前記第二の基準クロックを選択し、
前記基準クロック供給手段より出力される前記第二の基準クロックの供給を受けて動作する反復復号手段における反復復号処理が終了したことに応じて、前記基準クロック供給手段から供給される前記第一の基準クロックを選択する機能を有することを特徴とするデータ再生装置。
【０１０３】
（付記４）付記１記載のデータ再生装置において、
前記ゲート制御手段は、
シーク動作の開始要求を受けた後、アナログ／デジタル変換手段におけるサンプリング処理が終了したことに応じて、前記基準クロック供給手段より供給される基準クロックとして、アナログ／デジタル変換手段におけるサンプリング処理の終了前に入力された過去の基準信号に同期した発振周波数を有する前記第二の基準クロックを選択し、
前記基準クロック供給手段より出力される前記第二の基準クロックの供給を受けて動作する反復復号手段における反復復号処理が終了したことに応じて、前記基準クロック供給手段から供給される前記第一の基準クロックを選択する機能を有することを特徴とするデータ再生装置。
【０１０４】
（付記５）付記１記載のデータ再生装置において、
前記ゲート制御手段は、
シーク動作の開始要求を受けた後、前記反復復号手段における反復復号処理の１回の反復が終了したことに応じて、前記基準クロック供給手段より供給される基準クロックとして、前記反復復号手段における反復処理の１回の反復の終了前に入力された過去の基準信号に同期した発振周波数を有する前記第二の基準クロックを選択し、
前記基準クロック供給手段より出力される前記第二の基準クロックの供給を受けて動作する反復復号手段における反復復号処理が終了したことに応じて、前記基準クロック供給手段から供給される前記第一の基準クロックを選択する機能を有することを特徴とするデータ再生装置。
【０１０５】
（付記６）付記１記載のデータ再生装置において、
前記ゲート制御手段は、
データの再読み込み時に、前記基準クロック供給手段より供給される基準クロックとして、データの再読み込み前に入力された過去の基準信号に同期した発振周波数を有する前記第二の基準クロックを選択し、
前記基準クロック供給手段より出力される前記第二の基準クロックの供給を受けて動作する反復復号手段における反復復号処理が終了したことに応じて、前記基準クロック供給手段から供給される前記第一の基準クロックを選択する機能を有することを特徴とするデータ再生装置。
（付記７）付記１記載のデータ再生装置において、
前記ゲート制御手段は、
データの再読み込み要求を受けた後、前記アナログ／デジタル変換手段におけるサンプリング処理が終了したことに応じて、前記基準クロック供給手段より供給される基準クロックとして、前記アナログ／デジタル変換手段におけるサンプリング処理の終了前に入力された過去の基準信号に同期した発振周波数を有する前記第二の基準クロックを選択し、
前記基準クロック供給手段より出力される前記第二の基準クロックの供給を受けて動作する反復復号手段における反復復号処理が終了したことに応じて、前記基準クロック供給手段から供給される前記第一の基準クロックを選択する機能を有することを特徴とするデータ再生装置。
（付記８）付記１記載のデータ再生装置において、
前記ゲート制御手段は、
データの再読み込み要求を受けた後、前記反復復号手段における反復復号処理の１回の反復が終了したことに応じて、前記基準クロック供給手段より供給される基準クロックとして、前記反復復号手段における反復処理の１回の反復の終了前に入力された過去の基準信号に同期した発振周波数を有する前記第二の基準クロックを選択し、
前記基準クロック供給手段より出力される前記第二の基準クロックの供給を受けて動作する反復復号手段における反復復号処理が終了したことに応じて、前記基準クロック供給手段から供給される前記第一の基準クロックを選択する機能を有することを特徴とするデータ再生装置。
【０１０６】
（付記９）付記１乃至８記載のデータ再生装置であって、
前記基準クロック供給手段は、
入力電圧に基づいて出力信号の発振周波数を制御する電圧制御発振手段と、
前記電圧制御発振手段への入力電圧を一定値に保持する手段と、
前期入力電圧を一定値に保持する手段を有効及び無効に切り替える切り替え手段とを有し、
前記ゲート制御手段は、前記基準クロック供給手段の前記電圧制御発振手段への入力電圧を一定に保持する手段を有効及び無効を切り替える前記切り替え手段を制御することを特徴とするデータ再生装置。
【０１０７】
（付記１０）付記９記載のデータ再生装置において、
前記電圧制御発振手段への入力電圧を一定値に保持する手段は、複数のダンピング定数の特性を有する回路構成を備えたループフィルタで構成され、
前記ループフィルタは、複数のダンピング定数の特性を有する回路構成のうち一つを選択する選択制御手段を有することを特徴とするデータ再生装置。
【０１０８】
（付記１１）付記９記載のデータ再生装置において、
前記電圧制御発振手段への入力電圧を一定値に保持する手段として、サンプル＆ホールド回路を設けたことを特徴とするデータ再生装置。
【０１０９】
（付記１２）付記１記載のデータ再生装置において、
前記データ再生装置は、
複数の前記基準クロック供給手段を含む基準クロック供給手段群と、
複数の前記反復復号手段を有し、
前記ゲート制御手段は、前記基準クロック供給手段群より供給される前記第二の基準クロックを受けて動作する反復復号手段で反復復号処理されるデータの次に再生されるデータの反復復号処理を行う反復復号手段へ供給する基準クロックとして、
前記基準クロック供給手段群より供給される前記第一の基準クロックを選択する機能を有することを特徴とするデータ再生装置。
【０１１０】
【発明の効果】
本発明により、反復復号回路を適用したデータ再生装置において、基準信号の乱れに影響を受けることなく安定した反復復号処理を行うことが可能となるため、データ転送速度及び信頼性が向上するという特別な効果を奏する。
【０１１１】
より具体的には、反復復号回路を適用したデータ再生装置において、反復復号処理とシーク動作を並行して行うことが可能となるため、データ転送速度が向上するという特別な効果を奏する。
【０１１２】
また、反復復号回路を適用したデータ再生装置において、データの再読み込み時に予想される基準信号の乱れに影響を受けることなくデータの反復復号処理を行えるため、データの再読み込みの成功率が向上し、データ再生の信頼性が向上するという特別な効果を奏する。
【図面の簡単な説明】
【図１】物理フォーマットの例を示す図
【図２】従来の反復処理を伴わない復号動作のタイミングチャートを示す図
【図３】反復復号の機能構成を示す図。
【図４】１つの反復復号回路を有する従来のデータ再生装置における反復復号動作のタイミングチャートを示す図。
【図５】複数の反復復号回路を並列に接続した従来のデータ再生装置における反復復号動作のタイミングチャートを示す図
【図６】本発明によるデータ再生装置の再生信号処理構成を示す図
【図７】第一に実施例の基準クロック供給手段を有する構成としたデータ再生装置における反復復号動作のタイミングチャートを示す図
【図８】ループフィルタ回路のダンピングファクタを制御する構成とした基準クロック供給手段（PLL回路）の構成例を示す図
【図９】ループフィルタ（La-lead型のフィルタ）回路の構成例を示す図
【図１０】サンプル＆ホールド機能を有する基準クロック供給手段（PLL回路）の構成例を示す図
【図１１】サンプル＆ホールド回路の構成例を示す図
【図１２】シーク先で回転待ち時間が生じる場合の反復復号動作のタイミングチャートを示す図
【図１３】第二の実施例による基準クロック供給手段を有する構成としたデータ再生装置における反復復号動作のタイミングチャートを示す図
【図１４】第二の実施例による基準クロック供給部を有する構成としたデータ再生装置の再生信号処理構成を示す図
【図１】
0004120480.tif 000007
【図２】
0004120480.tif 000008
【図３】
0004120480.tif 000009
【図４】
0004120480.tif 000010
【図５】
0004120480.tif 000011
【図６】
0004120480.tif 000012
【図７】
0004120480.tif 000013
【図８】
0004120480.tif 000014
【図９】
0004120480.tif 000015
【図１０】
0004120480.tif 000016
【図１１】
0004120480.tif 000017
【図１２】
0004120480.tif 000018
【図１３】
0004120480.tif 000019
【図１４】
0004120480.tif 000020